(57)【要約】【課題】調湿ユニットの小型化を図る。【解決手段】調湿ユニット（10）は、対象空間である第１空間（S1）と、第２空間（S2）とを連通する空気通路（12）と、前記空気通路（12）に配置され、空気からの吸湿と空気への放湿とを行う吸湿部（30,32）と、前記空気通路（12）に配置され、前記吸湿部（30,32）の冷却及び加熱の少なくとも一方を行う熱源（21,22,32）と、前記空気通路（12）の空気の流れの方向を可逆に該空気を搬送する空気搬送機構（M）と、前記熱源（21,22,32）及び空気搬送機構（M）を制御する制御装置（C）とを備えている。【選択図】図３
2020200985.tif 000002
【特許請求の範囲】
【請求項１】
対象空間である第１空間（S1）と、第２空間（S2）とを連通する空気通路（12）と、
前記空気通路（12）に配置され、空気からの吸湿と空気への放湿とを行う吸湿部（30,32）と、
前記空気通路（12）に配置され、前記吸湿部（30,32）の冷却及び加熱の少なくとも一方を行う熱源（21,22,32）と、
前記空気通路（12）の空気の流れの方向を可逆に該空気を搬送する空気搬送機構（M）と、
前記熱源（21,22,32）及び空気搬送機構（M）を制御する制御装置（C）とを備えていることを特徴とする調湿ユニット。
【請求項２】
請求項１において、
前記制御装置（C）は、前記熱源（21,22,32）により前記吸湿部（30,32）を冷却し且つ前記空気搬送機構（M）により前記第２空間（S2）の空気を前記第１空間（S1）へ搬送する第１動作を実行させることを特徴とする調湿ユニット。
【請求項３】
請求項２において、
前記制御装置（C）は、
前記第１動作と、
前記熱源（21,22,32）により前記吸湿部（30,32）を加熱し且つ前記空気搬送機構（M）により前記第１空間（S1）の空気を前記第２空間（S2）へ搬送する第２動作とを交互に実行させることを特徴とする調湿ユニット。
【請求項４】
請求項３において、
前記制御装置（C）は、前記第１動作の終了後、前記第２動作の開始前に前記空気搬送機構（M）を所定期間停止させることを特徴とする調湿ユニット。
【請求項５】
請求項３又は４において、
前記制御装置（C）は、前記第２動作の終了後、前記第１動作の開始前に前記空気搬送機構（M）を所定期間停止させることを特徴とする調湿ユニット。
【請求項６】
請求項１〜５のいずれか１つにおいて、
前記制御装置（C）は、前記熱源（21,22,32）により前記吸湿部（30,32）を加熱し且つ前記空気搬送機構（M）により前記第２空間（S2）の空気を前記第１空間（S1）へ搬送する第３動作を実行させることを特徴とする調湿ユニット。
【請求項７】
請求項６において、
前記制御装置（C）は、
前記第３動作と、
前記熱源（21,22,32）により前記吸湿部（30,32）を冷却し且つ前記空気搬送機構（M）により第１空間（S1）の空気を前記第２空間（S2）へ搬送する第４動作とを交互に実行させることを特徴とする調湿ユニット。
【請求項８】
請求項７において、
前記制御装置（C）は、前記第３動作の終了後、前記第４動作の開始前に前記空気搬送機構（M）を所定期間停止させることを特徴とする調湿ユニット。
【請求項９】
請求項７又は８において、
前記制御装置（C）は、前記第４動作の終了後、前記第３動作の開始前に前記空気搬送機構（M）を所定期間停止させることを特徴とする調湿ユニット。
【請求項１０】
請求項１〜９のいずれか１つにおいて、
前記第１空間（S1）は室内空間であり、前記第２空間（S2）は室外空間であることを特徴とする調湿ユニット。
【請求項１１】
請求項１〜１０のいずれか１つにおいて、
前記熱源（21,22,32）は、熱媒体が流れる熱交換部（21,22,32）を含むことを特徴とする調湿ユニット。
【請求項１２】
請求項１１において、
前記熱交換部は、
前記吸湿部（30）よりも前記第１空間（S1）側に配置され、空気の冷却及び加熱を行う第１熱交換器（21）と、
前記吸湿部（30）よりも前記第２空間（S2）側に配置され、空気の冷却及び加熱を行う第２熱交換器（22）と含んでいることを特徴とする調湿ユニット。
【請求項１３】
請求項１１において、
前記熱交換部は、水を吸着及び脱離する吸着剤を有するとともに、前記吸湿部（30,32）を兼用する吸着熱交換器（32）であることを特徴とする調湿ユニット。
【請求項１４】
請求項１１〜１３のいずれか１つにおいて、
前記熱媒体としての冷媒が循環して冷凍サイクルを行う冷媒回路（R）を備えていることを特徴とする調湿ユニット。
【請求項１５】
請求項１４において、
前記冷媒回路（R）に接続される圧縮機（23）及び室外熱交換器（24）を有する室外機（20a）を備えていることを特徴とする調湿ユニット。
【請求項１６】
請求項１〜１４のいずれか１つにおいて、
前記空気搬送機構（M）は、正方向と逆方向の回転が可能なファンであることを特徴とする調湿ユニット。
【請求項１７】
請求項１〜１４のいずれか１つにおいて、
前記空気搬送機構（M）は、前記第１空間（S1）に向かって空気を送風する第１ファン（44）と、前記第２空間（S2）に向かって空気を送風する第２ファン（45）とを含んでいることを特徴とする調湿ユニット。
【請求項１８】
請求項１〜１４のいずれか１つにおいて、
前記空気搬送機構（M）は、
少なくとも１つのファン（46）と、
前記空気通路（12）の空気の流路を第１状態と第２状態とに切り換える流路切換機構（D1,D2,D3）とを備え、
前記第１状態の空気通路（12）では、前記ファン（46）に搬送される空気が前記第２空間（S2）から前記第１空間（S1）へ流れ、前記第２状態の空気通路（12）では、前記ファン（46）に搬送される空気が前記第１空間（S1）から前記第２空間（S2）へ流れることを特徴とする調湿ユニット。
【請求項１９】
請求項１〜１８のいずれか１つにおいて、
前記空気通路（12）の第１空間（S1）側の開口（13）の中心と、前記空気通路（12）の第２空間（S2）側の開口（14）の中心とが、該空気通路（12）の空気流れ方向において略一致していることを特徴とする調湿ユニット。
【請求項２０】
請求項１〜１９のいずれか１つにおいて、
前記空気通路（12）は、前記第１空間（S1）と前記第２空間（S2）とを仕切る壁（W）を貫通するように設けられることを特徴とする調湿ユニット。
【請求項２１】
請求項１〜１９のいずれか１つにおいて、
前記空気通路（12）は、前記第１空間としての室内空間（S1）と、前記第２空間としての室外空間（S2）との間の窓（5）、又は窓枠（6）に設けられることを特徴とする調湿ユニット。
【請求項２２】
請求項１〜２１のいずれか１つにおいて、
前記空気通路（12）には、前記吸湿部（30,32）及び前記熱源（21,22,32）よりも前記第２空間としての室外空間（S2）寄りに配置されるフィルタ（38）を備え、
前記フィルタ（38）は、前記第１空間としての室内空間（S1）から前記室外空間（S2）へ空気を搬送する動作中に、該フィルタ（38）に付着した塵埃が空気によって取り除かれるように構成されることを特徴とする調湿ユニット。
【請求項２３】
対象空間を調湿する複数の調湿ユニットを備えた調湿システムであって、
前記複数の調湿ユニットが、請求項１〜２２のいずれか１つに記載の調湿ユニットであることを特徴とする調湿システム。
【請求項２４】
請求項２３において、
前記複数の調湿ユニット（10）を協調して制御する連動制御部（C）を備えていることを特徴とする調湿システム。
【請求項２５】
請求項２４において、
複数の調湿ユニット（10）は、少なくとも１つの第１調湿ユニット（10A）と、少なくとも１つの第２調湿ユニット（10B）とを含み、
前記第１調湿ユニット（10A）及び前記第２調湿ユニット（10B）は、
前記熱源（21,22,32）により前記吸湿部（30,32）を冷却し且つ前記空気搬送機構（M）により第２空間（S2）の空気を前記第１空間（S1）へ搬送する第１動作と、
前記熱源（21,22,32）により前記吸湿部（30,32）を加熱し且つ前記空気搬送機構（M）により前記第１空間（S1）の空気を前記第２空間（S2）へ搬送する第２動作とを交互に実行するように構成され、
前記連動制御部（C）は、前記第１調湿ユニット（10A）が前記第１動作を行うときに前記第２調湿ユニット（10B）が前記第２動作を行い、前記第１調湿ユニット（10A）が前記第２動作を行うときに前記第２調湿ユニット（10B）が前記第１動作を行うように、前記第１調湿ユニット（10A）及び前記第２調湿ユニット（10B）を制御することを特徴とする調湿システム。
【請求項２６】
請求項２５において、
前記第１調湿ユニット（10A）及び前記第２調湿ユニット（10B）の少なくとも一方は、前記第１動作と前記第２動作との間に前記空気搬送機構（M）を所定期間停止させるように構成され、
前記連動制御部（C）は、前記第１調湿ユニット（10A）及び前記第２調湿ユニット（10B）の一方の停止期間に、前記第１調湿ユニット（10A）及び前記第２調湿ユニット（10B）の他方が第１動作又は第２動作を行うように、第１調湿ユニット（10A）及び第２調湿ユニット（10B）を制御することを特徴とする調湿システム。
【請求項２７】
請求項２５又は２６において、
前記第１調湿ユニット（10A）及び前記第２調湿ユニット（10B）は、
前記熱源（21,22,32）により前記吸湿部（30,32）を加熱し且つ前記空気搬送機構（M）により第２空間（S2）の空気を前記第１空間（S1）へ搬送する第３動作と、
前記熱源（21,22,32）により前記吸湿部（30,32）を冷却し且つ前記空気搬送機構（M）により前記第１空間（S1）の空気を前記第２空間（S2）へ搬送する第４動作とを交互に実行させるように構成され、
前記連動制御部（C）は、前記第１調湿ユニット（10A）が前記第３動作を行うときに前記第２調湿ユニット（10B）が前記第４動作を行い、前記第１調湿ユニット（10A）が前記第４動作を行うときに前記第２調湿ユニット（10B）が前記第３動作を行うように、前記第１調湿ユニット（10A）及び前記第２調湿ユニット（10B）を制御することを特徴とする調湿システム。
【請求項２８】
請求項２７において、
前記第１調湿ユニット（10A）及び前記第２調湿ユニット（10B）の少なくとも一方は、前記第３動作と前記第４動作との間に前記空気搬送機構（M）を所定期間停止させるように構成され、
前記連動制御部（C）は、前記第１調湿ユニット（10A）及び前記第２調湿ユニット（10B）の一方の停止期間に、前記第１調湿ユニット（10A）及び前記第２調湿ユニット（10B）の他方が第３動作又は第４動作を行うように、第１調湿ユニット（10A）及び第２調湿ユニット（10B）を制御することを特徴とする調湿システム。
【請求項２９】
請求項２４〜２８のいずれか１つにおいて、
前記第２空間（S2）の空気の汚れの度合いを判定する第１判定部（71）を備え、
前記連動制御部（C）は、前記第１判定部（71）により空気の汚れの度合いが所定値より高いと判定される条件が少なくとも成立すると、複数の調湿ユニット（10）の総給気量が、該複数の調湿ユニット（10）の総排気量よりも大きくなるように前記複数の調湿ユニット（10）を制御することを特徴とする調湿システム。
【請求項３０】
請求項２９において、
前記第２空間（S2）から前記第１空間（S1）への空気の侵入を検知する侵入検知部（70）を備え、
前記連動制御部（C）は、前記第１判定部（71）により空気の汚れの度合いが所定値より高いと判定される条件と、前記侵入検知部（70）が前記空気の侵入を検知する条件とが少なくとも成立すると、複数の調湿ユニット（10）の総給気量が、該複数の調湿ユニット（10）の総排気量よりも大きくなるように前記複数の調湿ユニット（10）を制御することを特徴とする調湿システム。
【請求項３１】
請求項２４〜３０のいずれか１つにおいて、
前記第１空間（S1）の空気の汚れの度合いを判定する第２判定部（72）を備え、
前記連動制御部（C）は、前記第２判定部（72）により空気の汚れの度合いが所定値より高いと判定される条件が少なくとも成立すると、複数の調湿ユニット（10）の総排気量が、該複数の調湿ユニット（10）の総給気量よりも大きくなるように前記複数の調湿ユニット（10）を制御することを特徴とする調湿システム。
【請求項３２】
請求項２４〜３１のいずれか１つにおいて、
前記第１空間（S1）に設置される換気装置（8）の給気量又は排気量を検知する風量検知部（73）を備え、
前記連動制御部（C）は、前記風量検知部（73）で検出した給気量又は排気量に基づき、前記第１空間（S1）における総給気量と総排気量とが略一致するように前記複数の調湿ユニット（10）を制御することを特徴とする調湿システム。
【発明の詳細な説明】
【技術分野】
【０００１】
本開示は、調湿ユニット、及び調湿システムに関する。
【背景技術】
【０００２】
特許文献１の調湿装置は、２つの吸着熱交換器を備える。調湿装置は、室外空気を一方の吸着熱交換器で除湿し室内へ供給すると同時に、室内空気によって他方の吸着熱交換器の吸着剤を再生する運転を行う。
【先行技術文献】
【特許文献】
【０００３】
【特許文献１】特許第４５６９１５０号
【発明の概要】
【発明が解決しようとする課題】
【０００４】
特許文献１の調湿装置は、室外空気を室内へ供給するための流路と、室内空気を室外へ排出するための流路とを個別に設けており、調湿装置のサイズが大きくなる問題があった。
【０００５】
本開示の目的は、調湿ユニットの小型化を図ることである。
【課題を解決するための手段】
【０００６】
第１の態様は、対象空間である第１空間（S1）と、第２空間（S2）とを連通する空気通路（12）と、前記空気通路（12）に配置され、空気からの吸湿と空気への放湿とを行う吸湿部（30,32）と、前記空気通路（12）に配置され、前記吸湿部（30,32）の冷却及び加熱の少なくとも一方を行う熱源（21,22,32）と、前記空気通路（12）の空気の流れの方向を可逆に該空気を搬送する空気搬送機構（M）と、前記熱源（21,22,32）及び空気搬送機構（M）を制御する制御装置（C）とを備えていることを特徴とする調湿ユニットである。
【０００７】
第１の態様では、空気搬送機構（M）によって空気の流れ方向を双方向に切り換えることができる。このため、第２空間（S2）の空気を吸湿部（30,32）及び熱源（21,22,32）を通過させた後、第１空間（S1）へ搬送できる。第１空間（S1）の空気を吸湿部（30,32）及び熱源（21,22,32）を通過させた後、第２空間（S2）へ搬送できる。これらの２つの動作では、空気通路（12）が共用されるので、調湿ユニット（10）の小型化を図ることができる。
【０００８】
第２の態様は、第１の態様において、前記制御装置（C）は、前記熱源（21,22,32）により前記吸湿部（30,32）を冷却し且つ前記空気搬送機構（M）により前記第２空間（S2）の空気を前記第１空間（S1）へ搬送する第１動作を実行させることを特徴とする調湿ユニットである。
【０００９】
なお、熱源（21,22,32）は吸湿部（30,32）を直接的に冷却してもよいし、熱源（21,22,32）で冷却した空気によって吸湿部（30,32）を間接的に冷却してもよい。
【００１０】
第２の態様では、第１動作において、第２空間（S2）の空気が吸湿部（30,32）で除湿された後、第１空間（S1）へ搬送される。
【００１１】
第３の態様は、第２の態様において、前記制御装置（C）は、前記第１動作と、前記熱源（21,22,32）により前記吸湿部（30,32）を加熱し且つ前記空気搬送機構（M）により前記第１空間（S1）の空気を前記第２空間（S2）へ搬送する第２動作とを交互に実行させることを特徴とする調湿ユニットである。
【００１２】
なお、熱源（21,22,32）は吸湿部（30,32）を直接的に加熱してもよいし、熱源（21,22,32）で加熱した空気によって吸湿部（30,32）を間接的に加熱してもよい。
【００１３】
第３の態様では、第１動作において、第２空間（S2）の空気が吸湿部（30,32）で除湿された後、第１空間（S1）へ搬送される。第２動作において、第１空間（S1）の空気が吸湿部（30,32）から水分を奪った後、第２空間（S2）へ搬送される。
【００１４】
第４の態様は、第３の態様において、前記制御装置（C）は、前記第１動作の終了後、前記第２動作の開始前に前記空気搬送機構（M）を所定期間停止させることを特徴とする。
【００１５】
第４の態様では、第１動作の終了後に空気搬送機構（M）が停止する。この期間に第１空間（S1）へ搬送した低湿の空気を拡散できる。
【００１６】
第５の態様は、第３又は第４の態様において、前記制御装置（C）は、前記第２動作の終了後、前記第１動作の開始前に前記空気搬送機構（M）を所定期間停止させることを特徴とする調湿ユニットである。
【００１７】
第５の態様では、第２動作の終了後に空気搬送機構（M）が停止する。この期間に第２空間（S2）に搬送した高湿の空気を拡散できる。
【００１８】
第６の態様は、第１〜第５のいずれか１つの態様において、前記制御装置（C）は、前記熱源（21,22,32）により前記吸湿部（30,32）を加熱し且つ前記空気搬送機構（M）により前記第２空間（S2）の空気を前記第１空間（S1）へ搬送する第３動作を実行させることを特徴とする調湿ユニットである。
【００１９】
第６の態様では、第３動作において、第２空間（S2）の空気が吸湿部（30,32）で加湿された後、第１空間（S1）へ搬送される。
【００２０】
第７の態様は、第６の態様において、前記制御装置（C）は、前記第３動作と、前記熱源（21,22,32）により前記吸湿部（30,32）を冷却し且つ前記空気搬送機構（M）により第１空間（S1）の空気を前記第２空間（S2）へ搬送する第４動作とを交互に実行させることを特徴とする調湿ユニットである。
【００２１】
第７の態様では、第３動作において、第２空間（S2）の空気が吸湿部（30,32）で加湿された後、第１空間（S1）へ搬送される。第４動作において、第１空間（S1）の空気が吸湿部（30,32）に水分を付与した後、第２空間（S2）へ搬送される。
【００２２】
第８の態様は、第７の態様において、前記制御装置（C）は、前記第３動作の終了後、前記第４動作の開始前に前記空気搬送機構（M）を所定期間停止させることを特徴とする調湿ユニットである。
【００２３】
第８の態様では、第３動作の終了後に空気搬送機構（M）が停止する。この期間に第１空間（S1）へ搬送した高湿の空気を拡散できる。
【００２４】
第９の態様は、第７又は第８の態様において、前記制御装置（C）は、前記第４動作の終了後、前記第３動作の開始前に前記空気搬送機構（M）を所定期間停止させることを特徴とする調湿ユニットである。
【００２５】
第９の態様では、第４動作の終了後に空気搬送機構（M）が停止する。この期間に第２空間（S1）へ搬送した低湿の空気を拡散できる。
【００２６】
第１０の態様は、第１〜第９のいずれか１つの態様において、前記第１空間（S1）は室内空間であり、前記第２空間（S2）は室外空間であることを特徴とする調湿ユニットである。
【００２７】
第１０の態様では、空気通路（12）が室内空間（S1）と室外空間（S2）とを連通させる。空気搬送機構（M）により、室外空間（S2）の空気を室内空間（S1）へ供給する動作と、室内空間（S1）の空気を室外空間（S2）へ排出する動作とを切り換えることができる。
【００２８】
第１１の態様は、第１〜第１０のいずれか１つにおいて、前記熱源（21,22,32）は、熱媒体が流れる熱交換部（21,22,32）を含むことを特徴とする調湿ユニットである。
【００２９】
第１１の態様では、空気と熱媒体とが熱交換部（21,22,32）において熱交換する。
【００３０】
第１２の態様は、前記熱交換部は、前記吸湿部（30）よりも前記第１空間（S1）側に配置され、空気の冷却及び加熱を行う第１熱交換器（21）と、前記吸湿部（30）よりも前記第２空間（S2）側に配置され、空気の冷却及び加熱を行う第２熱交換器（22）と含んでいることを特徴とする。
【００３１】
第１２の態様は、第１熱交換器（21）で冷却又は加熱した空気を吸湿部（30,32）に通過させることができる。第２熱交換部（21,22,32）で冷却又は加熱した空気を吸湿部（30,32）に通過させることができる。
【００３２】
第１３の態様は、第１１の態様において、前記熱交換部は、水を吸着及び脱離する吸着剤を有するとともに、前記吸湿部（30,32）を兼用する吸着熱交換器（32）であることを特徴とする調湿ユニットである。
【００３３】
第１３の態様では、吸着熱交換器（32）を流れる熱媒体によって、吸着剤が冷却又は加熱される。
【００３４】
第１４の態様は、第１１〜第１３のいずれか１つの態様において、前記熱媒体としての冷媒が循環して冷凍サイクルを行う冷媒回路（R）を備えていることを特徴とする調湿ユニットである。
【００３５】
第１５の態様は、第１４の態様において、前記冷媒回路（R）に接続される圧縮機（23）及び室外熱交換器（24）を有する室外機（20a）を備えていることを特徴とする調湿ユニットである。
【００３６】
第１６の態様は、第１〜第１４のいずれか１つの態様において、前記空気搬送機構（M）は、正方向と逆方向の回転が可能なファンであることを特徴とする調湿ユニットである。
【００３７】
第１６の態様では、ファンの回転方向が正方向の逆方向とに切り換わることで、空気通路（12）の空気流れが双方向に切り換えられる。
【００３８】
第１７の態様は、第１〜第１４のいずれか１つの態様において、前記空気搬送機構（M）は、前記第１空間（S1）に向かって空気を送風する第１ファン（44）と、前記第２空間（S2）に向かって空気を送風する第２ファン（45）とを含んでいることを特徴とする。
【００３９】
第１７の態様では、第１ファン（44）を運転することで、第２空間（S2）の空気を第１空間（S1）へ搬送できる。第２ファン（45）を運転することで、第１空間（S1）の空気を第２空間（S2）へ搬送できる。
【００４０】
第１８の態様は、第１〜第１４のいずれか１つの態様において、前記空気搬送機構（M）は、少なくとも１つのファン（46）と、前記空気通路（12）の空気の流路を第１状態と第２状態とに切り換える流路切換機構（D1,D2,D3）とを備え、前記第１状態の空気通路（12）では、前記ファン（46）に搬送される空気が前記第２空間（S2）から前記第１空間（S1）へ流れ、前記第２状態の空気通路（12）では、前記ファン（46）に搬送される空気が前記第１空間（S1）から前記第２空間（S2）へ流れることを特徴とする調湿ユニットである。
【００４１】
第１８の態様では、ファン（46）によって空気が搬送される。流路切換機構（D1,D2,D3）により空気の流路を第１状態と第２状態とに切り換えることで、空気通路（12）の流れ方向が可逆になる。
【００４２】
第１９の態様は、第１〜第１８のいずれか１つの態様において、前記空気通路（12）の第１空間（S1）側の開口（13）の中心と、前記空気通路（12）の第２空間（S2）側の開口（14）の中心とが、該空気通路（12）の空気流れ方向において略一致していることを特徴とする調湿ユニットである。
【００４３】
第１９の態様では、空気通路（12）の流路抵抗を低減できる。
【００４４】
第２０の態様は、第１〜第１９のいずれか１つの態様において、前記空気通路（12）は、前記第１空間（S1）と前記第２空間（S2）とを仕切る壁（W）を貫通するように設けられることを特徴とする調湿ユニットである。
【００４５】
第２１の態様は、第１〜第１９のいずれか１つの態様において、前記空気通路（12）は、前記第１空間としての室内空間（S1）と、前記第２空間としての室外空間（S2）との間の窓（5）、又は窓枠（6）に設けられることを特徴とする調湿ユニットである。
【００４６】
第２２の態様は、第１〜第２１のいずれか１つの態様において、前記空気通路（12）には、前記吸湿部（30,32）及び前記熱源（21,22,32）よりも前記第２空間としての室外空間（S2）寄りに配置されるフィルタ（38）を備え、前記フィルタ（38）は、前記第１空間としての室内空間（S1）から前記室外空間（S2）へ空気を搬送する動作中に、該フィルタ（38）に付着した塵埃が空気によって取り除かれるように構成されることを特徴とする調湿ユニットである。
【００４７】
第２２の態様では、室外空気中の塵埃をフィルタ（38）によって捕集できる。フィルタ（38）に付着した塵埃を空気によって室外空間（S2）へ排出できる。
【００４８】
第２３の態様は、対象空間を調湿する複数の調湿ユニットを備えた調湿システムであって、前記複数の調湿ユニットが、第１〜第２２のいずれか１つの態様の調湿ユニットであることを特徴とする調湿システムである。
【００４９】
第２３の態様では、複数の調湿ユニット（10）により、室内の除湿や加湿を行うことができる。
【００５０】
第２４の態様は、第２３の態様において、前記複数の調湿ユニット（10）を協調して制御する連動制御部（C）を備えていることを特徴とする。
【００５１】
第２４の態様では、複数の調湿ユニット（10）が協調して運転を行う。
【００５２】
第２５の態様は、第２４の態様において、複数の調湿ユニット（10）は、少なくとも１つの第１調湿ユニット（10A）と、少なくとも１つの第２調湿ユニット（10B）とを含み、前記第１調湿ユニット（10A）及び前記第２調湿ユニット（10B）は、前記熱源（21,22,32）により前記吸湿部（30,32）を冷却し且つ前記空気搬送機構（M）により第２空間（S2）の空気を前記第１空間（S1）へ搬送する第１動作と、前記熱源（21,22,32）により前記吸湿部（30,32）を加熱し且つ前記空気搬送機構（M）により前記第１空間（S1）の空気を前記第２空間（S2）へ搬送する第２動作とを交互に実行するように構成され、前記連動制御部（C）は、前記第１調湿ユニット（10A）が前記第１動作を行うときに前記第２調湿ユニット（10B）が前記第２動作を行い、前記第１調湿ユニット（10A）が前記第２動作を行うときに前記第２調湿ユニット（10B）が前記第１動作を行うように、前記第１調湿ユニット（10A）及び前記第２調湿ユニット（10B）を制御することを特徴とする調湿システムである。
【００５３】
第２５の態様では、第１空間（S1）を連続的に除湿し、且つ換気できる。
【００５４】
第２６の態様は、第２５の態様において、前記第１調湿ユニット（10A）及び前記第２調湿ユニット（10B）の少なくとも一方は、前記第１動作と前記第２動作との間に前記空気搬送機構（M）を所定期間停止させるように構成され、前記連動制御部（C）は、前記第１調湿ユニット（10A）及び前記第２調湿ユニット（10B）の一方の停止期間に、前記第１調湿ユニット（10A）及び前記第２調湿ユニット（10B）の他方が第１動作又は第２動作を行うように、第１調湿ユニット（10A）及び第２調湿ユニット（10B）を制御することを特徴とする調湿システムである。
【００５５】
第２６の態様では、第１動作と第２動作との間に空気搬送機構（M）を停止させることで、第１空間（S1）又は第２空間（S2）へ搬送した空気を拡散できる。この際、停止した調湿ユニット（10）と異なる調湿ユニット（10）が第１動作又は第２動作を行う。これにより、一方の調湿ユニット（10）の空気搬送機構（M）を停止させた期間においても、第１空間（S1）の換気を行うことができる。
【００５６】
第２７の態様は、第２５又は第２６の態様において、前記第１調湿ユニット（10A）及び前記第２調湿ユニット（10B）は、前記熱源（21,22,32）により前記吸湿部（30,32）を加熱し且つ前記空気搬送機構（M）により第２空間（S2）の空気を前記第１空間（S1）へ搬送する第３動作と、前記熱源（21,22,32）により前記吸湿部（30,32）を冷却し且つ前記空気搬送機構（M）により前記第１空間（S1）の空気を前記第２空間（S2）へ搬送する第４動作とを交互に実行させるように構成され、前記連動制御部（C）は、前記第１調湿ユニット（10A）が前記第３動作を行うときに前記第２調湿ユニット（10B）が前記第４動作を行い、前記第１調湿ユニット（10A）が前記第４動作を行うときに前記第２調湿ユニット（10B）が前記第３動作を行うように、前記第１調湿ユニット（10A）及び前記第２調湿ユニット（10B）を制御することを特徴とする調湿システムである。
【００５７】
第２７の態様では、第１空間（S1）を連続的に加湿し、且つ換気することができる。
【００５８】
第２８の態様は、第２７の態様において、前記第１調湿ユニット（10A）及び前記第２調湿ユニット（10B）の少なくとも一方は、前記第３動作と前記第４動作との間に前記空気搬送機構（M）を所定期間停止させるように構成され、前記連動制御部（C）は、前記第１調湿ユニット（10A）及び前記第２調湿ユニット（10B）の一方の停止期間に、前記第１調湿ユニット（10A）及び前記第２調湿ユニット（10B）の他方が第３動作又は第４動作を行うように、第１調湿ユニット（10A）及び第２調湿ユニット（10B）を制御することを特徴とする調湿システムである。
【００５９】
第２８の態様では、第３動作と第４動作との間に空気搬送機構（M）を停止させることで、第１空間（S1）又は第２空間（S2）へ搬送した空気を拡散できる。この際、停止した調湿ユニット（10）と異なる調湿ユニット（10）が第３動作又は第４動作を行う。これにより、一方の調湿ユニット（10）の空気搬送機構（M）を停止させた期間においても、第１空間（S1）の換気を行うことができる。
【００６０】
第２９の態様は、第２４〜第２８のいずれか１つの態様において、前記第２空間（S2）の空気の汚れの度合いを判定する第１判定部（71）を備え、前記連動制御部（C）は、前記第１判定部（71）により空気の汚れの度合いが所定値より高いと判定される条件が少なくとも成立すると、複数の調湿ユニット（10）の総給気量が、該複数の調湿ユニット（10）の総排気量よりも大きくなるように前記複数の調湿ユニット（10）を制御することを特徴とする調湿システムである。
【００６１】
第２９の態様では、第２空間（S2）の空気の汚れの度合いが高い条件下において、複数の調湿ユニット（10）の総給気量が総排気量より大きくなる。これにより、汚れの度合いが高い空気が第１空間（S1）に侵入することを抑制できる。
【００６２】
第３０の態様は、第２９の態様において、前記第２空間（S2）から前記第１空間（S1）への空気の侵入を検知する侵入検知部（70）を備え、前記連動制御部（C）は、前記第１判定部（71）により空気の汚れの度合いが所定値より高いと判定される条件と、前記侵入検知部（70）が前記空気の侵入を検知する条件とが少なくとも成立すると、複数の調湿ユニット（10）の総給気量が、該複数の調湿ユニット（10）の総排気量よりも大きくなるように前記複数の調湿ユニット（10）を制御することを特徴とする調湿システムである。
【００６３】
第３０の態様では、第２空間（S2）の空気の汚れの度合いが高く、且つ第２空間（S2）から第１空間（S1）へ空気が侵入する条件下において、複数の調湿ユニット（10）の総給気量が総排気量より大きくなる。これにより、汚れの度合いが高い空気が第１空間（S1）に侵入することを抑制できる。
【００６４】
第３１の態様は、第２４〜第３０のいずれか１つの態様において、前記第１空間（S1）の空気の汚れの度合いを判定する第２判定部（72）を備え、前記連動制御部（C）は、前記第２判定部（72）により空気の汚れの度合いが所定値より高いと判定される条件が少なくとも成立すると、複数の調湿ユニット（10）の総排気量が、該複数の調湿ユニット（10）の総給気量よりも大きくなるように前記複数の調湿ユニット（10）を制御することを特徴とする調湿システムである。
【００６５】
第３１の態様では、第１空間（S1）の空気の汚れの度合いが硬い条件下において、複数の調湿ユニット（10）の総排気量が総給気量より大きくなる。これにより、汚れの度合いが高い空気を第２空間（S2）に排出できる。
【００６６】
第３２の態様は、第２４〜第３１のいずれか１つにおいて、前記第１空間（S1）に設置される換気装置（8）の給気量又は排気量を検知する風量検知部（73）を備え、前記連動制御部（C）は、前記風量検知部（73）で検出した給気量又は排気量に基づき、前記第１空間（S1）における総給気量と総排気量とが略一致するように前記複数の調湿ユニット（10）を制御することを特徴とする調湿システムである。
【００６７】
第３２の態様では、第１空間（S1）の換気装置（8）を給気あるいは排気を行っても、第１空間（S1）と第２空間（S2）の総給気量と総排気量とをバランスさせることができる。
【図面の簡単な説明】
【００６８】
【図１】図１は、実施形態に係る調湿システムが適用される住宅の概略の平面図である。
【図２】図２は、実施形態に係る調湿ユニットの概略構成図であり、第１動作中又は第３動作中の調湿ユニットを表している。
【図３】図３は、実施形態に係る調湿ユニットの概略構成図であり、第２動作中又は第４動作中の調湿ユニットを表している。
【図４】図４は、実施形態の調湿システムの除湿運転のタイミングチャートである。
【図５】図５(Ａ）は、実施形態に係る調湿システムが適用される住宅の概略の平面図であり、第１動作又は第３動作の空気の流れを表している。図５(Ｂ)は、実施形態に係る調湿システムが適用される住宅の概略の平面図であり、第２動作又は第４動作の空気の流れを表している。
【図６】図６は、実施形態の調湿システムの加湿運転のタイミングチャートである。
【図７】図７は、変形例１の調湿システムの除湿運転のタイミングチャートである。
【図８】図８は、変形例１の調湿システムの加湿運転のタイミングチャートである。
【図９】図９は、変形例３に係る調湿ユニットの概略構成図である。
【図１０】図１０は、変形例５に係る調湿ユニットの概略構成図である。
【図１１】図１１は、変形例６に係る吸湿ユニットの概略構成図である。
【図１２】図１２は、変形例７に係る吸湿ユニットの概略構成図である。
【図１３】図１３は、変形例８に係る吸湿ユニットの概略構成図である。
【図１４】図１４は、変形例９に係る吸湿ユニットの概略構成図である。
【図１５】図１５は、変形例１０に係る調湿ユニットの概略構成図であり、第１動作中又は第３動作中の調湿ユニットを表している。
【図１６】図１６は、変形例１０に係る調湿ユニットの概略構成図であり、第２動作中又は第４動作中の調湿ユニットを表している。
【図１７】図１７は、変形例１１に係る調湿ユニットの概略構成図であり、第１動作中又は第３動作中の調湿ユニットを表している。
【図１８】図１８は、変形例１１に係る調湿ユニットの概略構成図であり、第３動作中又は第４動作中の調湿ユニットを表している。
【図１９】図１９は、変形例１２に係る調湿ユニットの概略構成図であり、第１動作中又は第３動作中の調湿ユニットを表している。
【図２０】図２０は、変形例１２に係る調湿ユニットの概略構成図であり、第２動作中又は第４動作中の調湿ユニットを表している。
【図２１】図２１は、変形例１３に係る調湿ユニットが設けられた住宅の一部を拡大した概略の平面図である。
【図２２】図２２は、変形例１４に係る調湿システムが適用される住宅の概略の平面図である。
【図２３】図２３は、変形例１６に係る調湿システムが適用される住宅の概略の平面図である。
【図２４】図２４は、変形例１９に係る調湿システムが適用される住宅の概略の平面図である。
【発明を実施するための形態】
【００６９】
以下、本開示の実施形態について図面を参照しながら説明する。なお、以下の実施形態は、本質的に好ましい例示であって、本発明、その適用物、あるいはその用途の範囲を制限することを意図するものではない。
【００７０】
《実施形態》
実施形態は、対象空間の湿度を調節する調湿システム（S）である。調湿システム（S）は、対象空間の換気を行う換気システムを兼用する。
【００７１】
〈調湿システムの全体構成〉
図１に示すように、本実施形態の調湿システム（S）は、住宅に適用される。調湿システム（S）は、６つの調湿ユニット（10）と、連動制御部（C）とを有する。調湿ユニット（10）の数量は、これに限られないが、２つ以上であるのが好ましい。連動制御部（C）は、これらの６つの調湿ユニット（10）を協調させながら制御する。
【００７２】
本例の６つの調湿ユニット（10）は、３つの第１調湿ユニット（10A）と、３つの第２調湿ユニット（10B）に分類される。３つの第１調湿ユニット（10A）は、基本的には同じ動作を行う。３つの第２調湿ユニット（10B）は、基本的には同じ動作を行う。第１調湿ユニット（10A）と第２調湿ユニット（10B）とは、基本的には異なる動作を行う。
【００７３】
〈調湿ユニットの全体構成〉
図２に示すように、調湿ユニット（10）は、ケーシング（11）を備える。ケーシング（11）は、住宅の壁（W）を貫通するように該壁（W）に取り付けられる。ケーシング（11）は、横長の筒状に形成される。ケーシング（11）は、円筒状であってもよいし、角型筒状であってもよい。ケーシング（11）は、壁（W）と垂直に直線状に延びている。
【００７４】
ケーシング（11）の内部には、空気通路（12）が形成される。空気通路（12）は、第１空間（S1）と第２空間（S2）とを連通させる。第１空間（S1）は、湿度調節、及び換気の対象空間である。第１空間（S1）は室内空間である。第２空間（S2）は第１空間（S1）と異なる空間である。具体的には、第２空間（S2）は室外空間である。
【００７５】
複数の調湿ユニット（10）は、住宅の同一の室内空間（S1）を対象としてもよいし、異なる室内空間（S1）を対象としてもよい。
【００７６】
空気通路（12）は、第１空間（S1）に開口する内気口（13）を有する。空気通路（12）は、第２空間（S2）に開口する外気口（14）を有する。内気口（13）の中心（軸心）と、外気口（14）の中心（軸心）とは、空気流れ方向において略一致している。これにより、空気通路（12）の流路抵抗を低減できる。
【００７７】
調湿ユニット（10）は、第１熱交換器（21）、吸湿ユニット（30）、第２熱交換器（22）、可逆ファン（40）を備える。空気通路（12）では、室外空間（S2）から室内空間（S1）に向かって順に、第１熱交換器（21）、吸湿ユニット（30）、第２熱交換器（22）、可逆ファン（40）が配置される。可逆ファン（40）を第１熱交換器（21）よりも室外空間（S2）側に配置してもよい。
【００７８】
第１熱交換器（21）及び第２熱交換器（22）は、熱源装置（20）に含まれている。第１熱交換器（21）及び第２熱交換器（22）は、空気の冷却及び加熱を行う熱源である。第１熱交換器（21）及び第２熱交換器（22）は、例えばフィンアンドチューブ式の熱交換器である。
【００７９】
吸湿ユニット（30）は、空気からの吸湿と、空気への放湿とを行う吸湿部である。換言すると、吸湿ユニット（30）は、空気中から水分を奪う動作と、空気中へ水分を放出する動作とを行う。本実施形態の吸湿ユニット（30）は、吸着剤を有する吸着ユニットである。吸湿ユニット（30）は、空気が流通する複数の孔を有する基材と、基材の表面に担持される吸着剤とを含む。吸着剤は、水分を吸着ないし収着する材料であれば如何なる材料であってもよい。
【００８０】
可逆ファン（40）は、空気通路（12）の空気を双方向ないし可逆に搬送する空気搬送機構（M）を構成する（詳細は後述する）。
【００８１】
〈熱源装置〉
図２に示すように、調湿ユニット（10）は、空気を冷却及び加熱するための熱源装置（20）を含む。熱源装置（20）は、第１熱交換器（21）と、第２熱交換器（22）と、室外機（20a）とを含んでいる。室外機（20a）は、圧縮機（23）と、室外熱交換器（24）と、室外ファン（25）とを含んでいる。室外機（20a）と、第１熱交換器（21）と、第２熱交換器（22）とは、冷媒配管を介して互いに接続される。これにより、熱源装置（20）では、冷媒が循環する冷媒回路（R）が構成される。圧縮機（23）、第１熱交換器（21）、第２熱交換器（22）、室外熱交換器（24）は、冷媒回路（R）に接続される。冷媒回路（R）には、流路切換機構である四方切換弁、開閉弁、膨張弁などが接続される（図示省略）。これらの機器を制御することにより、冷媒回路（R）では、冷媒が循環して冷凍サイクルが行われる。
【００８２】
〈可逆ファンの詳細〉
本実施形態の可逆ファン（40）は、軸流ファンで構成される。可逆ファン（40）は、モータ（41）と、モータ（41）に回転駆動させる軸（42）と、軸（42）に連結されるインペラ（43）とを備える。モータ（41）は、正回転方向と逆回転方向とに軸（42）を回転駆動する。インペラ（43）は、軸方向の前面視及び後面視の形状が概ね等しい。
【００８３】
モータ（41）が駆動軸（42）を正回転方向に駆動させると、インペラ（43）が第１回転方向に回転する（図２を参照）。これにより、室外空間（S2）の室外空気（OA）が空気通路（12）に吸い込まれる。吸い込まれた室外空気（OA）は、供給空気（SA）として室内空間（S1）へ供給される。モータ（41）が駆動軸（42）を逆回転方向に駆動させると、インペラ（43）が第２回転方向に回転する（図３を参照）。これにより、室内空間（S1）の室内空気（RA）が空気通路（12）に吸い込まれる。吸い込まれた室内空気（RA）は、排出空気（EA）として室外空間（S2）へ排出される。
【００８４】
〈連動制御部〉
図１に示すように、連動制御部（C）は、複数の調湿ユニット（10）を制御するためのコントローラである。連動制御部（C）は、プロセッサ（例えばマイクロコントローラ）と、該プロセッサを動作させるためのソフトウェアを格納するメモリディバイス（例えば半導体メモリ）とを有する。本実施形態の連動制御部（C）は、各調湿ユニット（10）の熱源装置（20）及び空気搬送機構（M）を制御する制御装置を兼用している。
【００８５】
連動制御部（C）は、有線又は無線を介して各調湿ユニット（10）と接続される。連動制御部（C）と各調湿ユニット（10）の間で制御信号などの授受が行われる。連動制御部（C）は、調湿ユニット（10）の各々について、熱源装置（20）及び可逆ファン（40）をそれぞれ制御する。
【００８６】
−運転動作−
調湿システム（S）の運転動作について説明する。調湿システム（S）は、除湿運転と加湿運転とを切り換えて行う。除湿運転は、例えば夏季において、外気が高温高湿である条件下で実行される。加湿運転は、例えば冬季において、外気が低温低湿である条件下で実行される。
【００８７】
〈除湿運転〉
除湿運転では、各調湿ユニット（10）において第１動作と第２動作とが行われる。第１動作と第２動作とは交互に繰り返し行われる。これらの動作の切換は、連動制御部（C）によって制御される。
【００８８】
〈第１動作〉
図２に示す第１動作は、第１熱交換器（21）により吸湿ユニット（30）を冷却し、且つ可逆ファン（40）により室外空間（S2）から室内空間（S1）へ空気を搬送する動作である。熱源装置（20）では、第１熱交換器（21）を蒸発器とし、第２熱交換器（22）を停止させ、室外熱交換器（24）を放熱器（凝縮器）とする冷凍サイクル（第１冷凍サイクル）が行われる。
【００８９】
第１動作では、空気通路（12）に取り込まれた室外空気（OA）が第１熱交換器（21）で冷却される。冷却された空気は、吸湿ユニット（30）を流れる。吸湿ユニット（30）では、空気中の水分が吸着剤に吸着される。このように冷却及び除湿された空気は、供給空気（SA）として室内空間（S1）へ供給される。
【００９０】
〈第２動作〉
図３に示す第２動作は、第２熱交換器（22）により吸湿ユニット（30）を加熱し、且つ可逆ファン（40）により室内空間（S1）から室外空間（S2）へ空気を搬送する動作である。具体的には、熱源装置（20）では、第２熱交換器（22）を放熱器（凝縮器）とし、第１熱交換器（21）を停止させ、室外熱交換器（24）を蒸発器とする冷凍サイクル（第２冷凍サイクル）が行われる。
【００９１】
第２動作では、空気通路（12）に取り込まれた室内空気（RA）が第２熱交換器（22）で加熱される。加熱された空気は、吸湿ユニット（30）を流れる。吸湿ユニット（30）では、空気によって吸着剤が再生される。吸着剤の再生に利用された空気は、排出空気（EA）として室外空間（S2）へ排出される。
【００９２】
〈除湿運転の連動制御〉
除湿運転の連動制御について図４及び図５を参照しながら詳細に説明する。除湿運転では、第１調湿ユニット（10A）と第２調湿ユニット（10B）とが連動して制御される。本実施形態では、各調湿ユニット（10）において、第１動作、第１停止制御、第２動作、第２停止制御が順に繰り返し行われる。第１動作はＴ１、第２動作はＴ２、第１停止制御はＴｂ１、第２停止制御はＴｂ２の間、実行される。Ｔ１及びＴ２は、例えば数十秒、Ｔｂ１及びＴｂ２は、例えば数秒に設定される。本例では、Ｔ１とＴ２が等しく、Ｔｂ１とＴｂ２とが等しい。
【００９３】
本例では、第１調湿ユニット（10A）の第１動作と、第２調湿ユニット（10B）の第２動作とが同時に行われる。第１調湿ユニット（10A）の第２動作と、第２調湿ユニット（10B）の第１動作とが同時に行われる。第１調湿ユニット（10A）の第１停止制御と、第２調湿ユニット（10B）の第２停止制御とが同時に行われる。第１調湿ユニット（10A）の第２停止制御と、第２調湿ユニット（10B）の第１停止制御とが同時に行われる。
【００９４】
図４及び図５(Ａ)に示すように、除湿運転において、３台の第１調湿ユニット（10A）が第１動作を実行すると、残りの３台の第２調湿ユニット（10B）が第２動作を実行する。各第１調湿ユニット（10A）は、吸湿ユニット（30）で除湿した空気を室内空間（S1）へ供給する。各第２調湿ユニット（10B）は、吸湿ユニット（30）の吸着剤の再生に利用した空気を室外空間（S2）に排出する。これにより、室内空間（S1）の換気と、室内空間（S1）の除湿とが同時に行われる。
【００９５】
第１調湿ユニット（10A）の第１動作が終了すると、第１調湿ユニット（10A）の第１停止制御が行われる。第１調湿ユニット（10A）の第１停止制御では、第１調湿ユニット（10A）の可逆ファン（40）が停止状態となる。第２調湿ユニット（10B）の第２動作が終了すると、第２調湿ユニット（10B）の第２停止制御が行われる。第２調湿ユニット（10B）の第２停止制御では、第２調湿ユニット（10B）の可逆ファン（40）が停止状態となる。
【００９６】
図４及び図５(Ｂ)に示すように、除湿運転において、３台の第２調湿ユニット（10B）が第１動作を実行すると、残りの３台の第１調湿ユニット（10A）が第２動作を実行する。各第２調湿ユニット（10B）は、吸湿ユニット（30）で除湿した空気を室内空間（S1）へ供給する。各第１調湿ユニット（10A）は、吸湿ユニット（30）の吸着剤の再生に利用した空気を室外空間（S2）に排出する。これにより、室内空間（S1）の換気と、室内空間（S1）の除湿とが同時に行われる。
【００９７】
第２調湿ユニット（10B）の第１動作が終了すると、第２調湿ユニット（10B）の第１停止制御が行われる。第２調湿ユニット（10B）の第１停止制御では、第２調湿ユニット（10B）の可逆ファン（40）が停止状態となる。第１調湿ユニット（10A）の第２動作が終了すると、第１調湿ユニット（10A）の第２停止制御が行われる。第１調湿ユニット（10A）の第２停止制御では、第１調湿ユニット（10A）の可逆ファン（40）が停止状態となる。
【００９８】
以上のように、調湿システム（S）では、第１調湿ユニット（10A）及び第２調湿ユニット（10B）において、第１動作と第２動作とが互いにずれるように交互に行われる。これにより、室内空間（S1）の換気及び除湿を連続的に行うことができる。
【００９９】
除湿運転では第１動作と第２動作との間の第１停止制御において、可逆ファン（40）を停止させる。仮に各調湿ユニット（10）において、第１動作の後、直ぐに第２動作を実行すると、第１動作において室内空間（S1）に供給される低湿の空気を、第２動作により室外空間（S2）へ排出してしまう可能性がある。これに対し、第１動作と第２動作との間に、可逆ファン（40）を停止させることで、第１動作により室内空間（S1）へ供給する低湿の空気を室内空間（S1）で拡散させることができる。これにより、第１動作により室内空間（S1）へ供給される低湿の空気が、第２動作により室外空間（S2）へ排出されることを抑制できる。
【０１００】
同様に、除湿運転では第２動作と第１動作との間の第２停止制御において、可逆ファン（40）を停止させる。仮に各調湿ユニット（10）において、第２動作の後、直ぐに第１動作を実行すると、第２動作において室外空間（S2）へ排出される高湿の空気を、第１動作により室内空間（S1）へ供給してしまう可能性がある。これに対し、第２動作と第１動作との間に、可逆ファン（40）を停止させることで、第２動作により室外空間（S2）へ排出した高湿の空気を室外空間（S2）で拡散させることができる。これにより、第２動作により室外空間（S2）へ排出される高湿の空気が、第１動作により室内空間（S1）へ供給されることを抑制できる。
【０１０１】
なお、第１停止制御及び第２停止制御において、圧縮機（23）を停止してもよい。
【０１０２】
〈加湿運転〉
加湿運転では、各調湿ユニット（10）において第３動作と第４動作とが行われる。第３動作と第４動作とは交互に繰り返し行われる。これらの動作の切換は、連動制御部（C）によって制御される。
【０１０３】
〈第３動作〉
図２に示す第３動作は、第１熱交換器（21）により吸湿ユニット（30）を加熱し、且つ可逆ファン（40）により室外空間（S2）から室内空間（S1）へ空気を搬送する動作である。熱源装置（20）では、第１熱交換器（21）を放熱器（凝縮器）とし、第２熱交換器（22）を停止させ、室外熱交換器（24）を蒸発器とする冷凍サイクル（第３冷凍サイクル）が行われる。
【０１０４】
第３動作では、空気通路（12）に取り込まれた室外空気（OA）が第１熱交換器（21）で加熱される。加熱された空気は、吸湿ユニット（30）を流れる。吸湿ユニット（30）では、吸着剤の水分が空気中に放出される。このように加熱及び加湿された空気は、供給空気（SA）として室内空間（S1）へ供給される。
【０１０５】
〈第４動作〉
図３に示す第４動作は、第２熱交換器（22）により吸湿ユニット（30）を冷却し、且つ可逆ファン（40）により室内空間（S1）から室外空間（S2）へ空気を搬送する動作である。具体的には、熱源装置（20）では、第２熱交換器（22）を蒸発器とし、第１熱交換器（21）を停止させ、室外熱交換器（24）を放熱器（凝縮器）とする冷凍サイクル（第４冷凍サイクル）が行われる。
【０１０６】
第４動作では、空気通路（12）に取り込まれた室内空気（RA）が第２熱交換器（22）で冷却される。冷却された空気は、吸湿ユニット（30）を流れる。吸湿ユニット（30）では、空気中の水分が吸着剤に吸着される。吸着剤に水分を付与した空気は、排出空気（EA）として室外空間（S2）へ排出される。
【０１０７】
〈加湿運転の連動制御〉
加湿運転の連動制御について図５及び図６を参照しながら詳細に説明する。加湿運転では、第１調湿ユニット（10A）と第２調湿ユニット（10B）とが連動して制御される。本実施形態では、各調湿ユニット（10）において、第３動作、第３停止制御、第４動作、第４停止制御が順に繰り返し行われる。第３動作はＴ３、第４動作はＴ４、第３停止制御はＴｂ３、第４停止制御はＴｂ４の間、実行される。第３動作はＴ３、第４動作はＴ４、第３停止制御はＴｂ３、第４停止制御はＴｂ４の間、実行される。Ｔ３及びＴ４は、例えば数十秒、Ｔｂ３及びＴｂ４は、例えば数秒に設定される。本例では、Ｔ３とＴ４が等しく、Ｔｂ３とＴｂ４とが等しい。
【０１０８】
本例では、第１調湿ユニット（10A）の第３動作と、第２調湿ユニット（10B）の第４動作とが同時に行われる。第１調湿ユニット（10A）の第４動作と、第２調湿ユニット（10B）の第３動作とが同時に行われる。第１調湿ユニット（10A）の第３停止制御と、第２調湿ユニット（10B）の第４停止制御とが同時に行われる。第１調湿ユニット（10A）の第４停止制御と、第２調湿ユニット（10B）の第３停止制御とが同時に行われる。
【０１０９】
図５(Ａ)及び図６に示すように、加湿運転において、３台の第１調湿ユニット（10A）が第３動作を実行すると、残りの３台の第２調湿ユニット（10B）が第４動作を実行する。各第１調湿ユニット（10A）は、吸湿ユニット（30）で加湿した空気を室内空間（S1）へ供給する。各第２調湿ユニット（10B）は、吸湿ユニット（30）の吸着剤に水分を付与した空気を室外空間（S2）に排出する。これにより、室内空間（S1）の換気と、室内空間（S1）の加湿とが同時に行われる。
【０１１０】
第１調湿ユニット（10A）の第３動作が終了すると、第１調湿ユニット（10A）の第３停止制御が行われる。第１調湿ユニット（10A）の第３停止制御では、第１調湿ユニット（10A）の可逆ファン（40）が停止状態となる。第２調湿ユニット（10B）の第３動作が終了すると、第２調湿ユニット（10B）の第４停止制御が行われる。第２調湿ユニット（10B）の第４停止制御では、第２調湿ユニット（10B）の可逆ファン（40）が停止状態となる。
【０１１１】
図５(Ｂ)及び図６に示すように、加湿運転において、３台の第２調湿ユニット（10B）が第３動作を実行すると、残りの３台の第１調湿ユニット（10A）が第４動作を実行する。各第２調湿ユニット（10B）は、吸湿ユニット（30）で加湿した空気を室内空間（S1）へ供給する。各第１調湿ユニット（10A）は、吸湿ユニット（30）の吸着剤に水分を付与した空気を室外空間（S2）に排出する。これにより、室内空間（S1）の換気と、室内空間（S1）の加湿とが同時に行われる。
【０１１２】
第２調湿ユニット（10B）の第３動作が終了すると、第２調湿ユニット（10B）の第３停止制御が行われる。第２調湿ユニット（10B）の第３停止制御では、第２調湿ユニット（10B）の可逆ファン（40）が停止状態となる。第１調湿ユニット（10A）の第４動作が終了すると、第１調湿ユニット（10A）の第４停止制御が行われる。第１調湿ユニット（10A）の第４停止制御では、第１調湿ユニット（10A）の可逆ファン（40）が停止状態となる。
【０１１３】
以上のように、調湿システム（S）では、第１調湿ユニット（10A）及び第２調湿ユニット（10B）において、第３動作と第４動作とが互いにずれるように交互に行われる。これにより、室内空間（S1）の換気及び加湿を連続的に行うことができる。
【０１１４】
加湿運転では第３動作と第４動作との間の第３停止制御において、可逆ファン（40）を停止させる。仮に各調湿ユニット（10）において、第３動作の後、直ぐに第４動作を実行すると、第３動作において室内空間（S1）に供給される高湿の空気を、第４動作により室外空間（S2）へ排出してしまう可能性がある。これに対し、第３動作と第４動作との間に、可逆ファンを停止させることで、第３動作により室内空間（S1）へ供給する高湿の空気を室内空間（S1）で拡散させることができる。これにより、第３動作により室内空間（S1）へ供給される高湿の空気が、第４動作により室外空間（S2）へ排出されることを抑制できる。
【０１１５】
同様に、加湿運転では第４動作と第３動作との間の第４停止制御において、可逆ファン（40）を停止させる。仮に各調湿ユニット（10）において、第４動作の後、直ぐに第３動作を実行すると、第４動作において室外空間（S2）へ排出される低湿の空気を、第３動作により室内空間（S1）へ供給してしまう可能性がある。これに対し、第４動作と第３動作との間に、可逆ファン（40）を停止させることで、第４動作により室外空間（S2）へ排出した低湿の空気を室外空間（S2）で拡散させることができる。これにより、第４動作により室外空間（S2）へ排出される低湿の空気が、第３動作により室内空間（S1）へ供給されることを抑制できる。
【０１１６】
なお、第３停止制御及び第４停止制御において、圧縮機（23）を停止してもよい。
【０１１７】
−実施形態の効果−
上記実施形態は、対象空間である第１空間（S1）と、第２空間（S2）とを連通する空気通路（12）と、前記空気通路（12）に配置され、空気からの吸湿と空気への放湿とを行う吸湿部（30,32）と、前記空気通路（12）に配置され、前記吸湿部（30,32）の冷却及び加熱の少なくとも一方を行う熱源（21,22,32）と、前記空気通路（12）の空気の流れの方向を可逆に該空気を搬送する空気搬送機構（M）と、前記熱源（21,22,32）及び空気搬送機構（M）を制御する制御装置（C）とを備えている。
【０１１８】
この構成では、空気搬送機構（M）により空気通路（12）の空気流れを双方向に切り換えることができる。このため、給気用の空気通路と、排気用の空気通路とをそれぞれ別に形成する必要がなく、調湿ユニット（10）の小型化・簡素化を図ることができる。
【０１１９】
制御装置（C）は、前記熱源（21,22,32）により前記吸湿部（30,32）を冷却し且つ前記空気搬送機構（M）により前記第２空間（S2）の空気を前記第１空間（S1）へ搬送する第１動作と、前記熱源（21,22,32）により前記吸湿部（30,32）を加熱し且つ前記空気搬送機構（M）により前記第１空間（S1）の空気を前記第２空間（S2）へ搬送する第２動作とを交互に実行させる。
【０１２０】
この構成では、除湿運転の第１動作において、室外空気（OA）を吸湿部（30,32）で除湿し、第１空間である室内空間（S1）へ供給できる。除湿運転の第２動作において、吸湿部（30,32）の水分を室内空気（RA）に放出させ、第２空間である室外空間（S2）へ排出できる。第１動作と第２動作とを交互に繰り返すことで、室内空間（S1）を間欠的に除湿できる。加えて、室内空間（S1）を換気できる。
【０１２１】
制御装置（C）は、前記第１動作の終了後、前記第２動作の開始前に前記空気搬送機構（M）を所定期間停止させる。
【０１２２】
この構成では、除湿運転の第１動作により、室内空間（S1）に供給した低湿の空気が、第２動作によって室外空間（S2）へ排出されてしまうことを抑制できる。従って、調湿ユニット（10）の除湿能力の低下を抑制できる。
【０１２３】
制御装置（C）は、前記第２動作の終了後、前記第１動作の開始前に前記空気搬送機構（M）を所定期間停止させる。
【０１２４】
この構成では、除湿運転の第２動作により、室外空間（S2）に排出した高湿の空気が、第１動作によって室内空間（S1）側へ戻ってしまうことを抑制できる。従って、調湿ユニット（10）の除湿能力の低下を抑制できる。
【０１２５】
制御装置（C）は、前記熱源（21,22,32）により前記吸湿部（30,32）を加熱し且つ前記空気搬送機構（M）により前記第２空間（S2）の空気を前記第１空間（S1）へ搬送する第３動作と、前記熱源（21,22,32）により前記吸湿部（30,32）を冷却し且つ前記空気搬送機構（M）により第１空間（S1）の空気を前記第２空間（S2）へ搬送する第４動作とを交互に実行させる。
【０１２６】
この構成では、加湿運転の第３動作において、室外空気（OA）を吸湿部（30,32）で加湿し、第１空間である室内空間（S1）へ供給できる。加湿運転の第４動作において、室内空気の水分を吸湿部（30,32）に付与し、この空気を室外空間（S2）へ排出できる。第３動作と第４動作とを交互に繰り返すことで、室内空間（S1）を間欠的に除湿できる。加えて、室内空間（S1）を換気できる。
【０１２７】
制御装置（C）は、前記第３動作の終了後、前記第４動作の開始前に前記空気搬送機構（M）を所定期間停止させる。
【０１２８】
この構成では、加湿運転の第３動作により、室内空間（S1）に供給した高湿の空気が、第４動作によって室外空間（S2）に排出されてしまうことを抑制できる。従って、調湿ユニット（10）の加湿能力の低下を抑制できる。
【０１２９】
制御装置（C）は、前記第４動作の終了後、前記第３動作の開始前に前記空気搬送機構（M）を所定期間停止させる。
【０１３０】
この構成では、加湿運転の第４動作により、室外空間（S2）に排出した低湿の空気が、第３動作によって室内空間（S1）側に戻ってしまうことを抑制できる。従って、調湿ユニット（10）の加湿能力の低下を抑制できる。
【０１３１】
第１空間（S1）は室内空間であり、前記第２空間（S2）は室外空間である。
【０１３２】
この構成では、室内空間（S1）と室外空間（S2）との間での空気の行き来により、室内空間（S1）の換気を行うことができる。
【０１３３】
熱源（21,22,32）は、熱媒体が流れる熱交換部（21,22,32）を含む。熱交換部は、前記吸湿部（30）よりも前記第１空間（S1）側に配置され、空気の冷却及び加熱を行う第１熱交換器（21）と、前記吸湿部（30）よりも前記第２空間（S2）側に配置され、空気の冷却及び加熱を行う第２熱交換器（22）と含んでいる。
【０１３４】
この構成では、除湿運転の第１動作において、吸湿ユニット（30）の上流側の空気を第１熱交換器（21）で冷却できる。除湿運転の第２動作において、吸湿ユニット（30）の上流側の空気を第２熱交換器（22）で加熱できる。加湿運転の第３動作において、吸湿ユニット（30）の上流側の空気を第１熱交換器（21）で加熱できる。加湿運転の第４動作において、吸湿ユニット（30）の上流側の空気を第２熱交換器（22）で冷却できる。
【０１３５】
空気通路（12）の第１空間（S1）側の開口（13）の中心と、前記空気通路（12）の第２空間（S2）側の開口（14）の中心とが、該空気通路（12）の空気流れ方向において略一致している。
【０１３６】
この構成では、内気口（13）と外気口（14）とが軸方向の一致するため、空気通路（12）の流路抵抗を低減できる。従って、可逆ファン（40）の動力を削減できる。
【０１３７】
空気通路（12）は、第１空間（S1）と第２空間（S2）とを仕切る壁（W）を貫通するように設けられる。
【０１３８】
この構成では、例えば天井裏などに調湿ユニット（10）を設ける場合と比較して、調湿ユニット（10）の設置を容易に行うことができる。
【０１３９】
調湿システム（S）は、複数の調湿ユニット（10）を備える。連動制御部（C）は、複数の調湿ユニット（10）を協調して制御する。
【０１４０】
この構成では、複数の調湿ユニット（10）により、対象空間に応じた除湿、加湿、換気を行うことができる。
【０１４１】
複数の調湿ユニット（10）は、少なくとも１つの第１調湿ユニット（10A）と、少なくとも１つの第２調湿ユニット（10B）とを含み、前記第１調湿ユニット（10A）及び前記第２調湿ユニット（10B）は、前記熱源（21,22,32）により前記吸湿部（30,32）を冷却し且つ前記空気搬送機構（M）により第２空間（S2）の空気を前記第１空間（S1）へ搬送する第１動作と、前記熱源（21,22,32）により前記吸湿部（30,32）を加熱し且つ前記空気搬送機構（M）により前記第１空間（S1）の空気を前記第２空間（S2）へ搬送する第２動作とを交互に実行するように構成され、前記連動制御部（C）は、前記第１調湿ユニット（10A）が前記第１動作を行うときに前記第２調湿ユニット（10B）が前記第２動作を行い、前記第１調湿ユニット（10A）が前記第２動作を行うときに前記第２調湿ユニット（10B）が前記第１動作を行うように、前記第１調湿ユニット（10A）及び前記第２調湿ユニット（10B）を制御する。
【０１４２】
この構成では、実質的には、室内空間（S1）を連続的に除湿できる。加えて、室内空間（S1）を第１種換気により換気できる。
【０１４３】
第１調湿ユニット（10A）及び前記第２調湿ユニット（10B）は、前記熱源（21,22,32）により前記吸湿部（30,32）を加熱し且つ前記空気搬送機構（M）により第２空間（S2）の空気を前記第１空間（S1）へ搬送する第３動作と、前記熱源（21,22,32）により前記吸湿部（30,32）を冷却し且つ前記空気搬送機構（M）により前記第１空間（S1）の空気を前記第２空間（S2）へ搬送する第４動作とを交互に実行させるように構成され、連動制御部（C）は、前記第１調湿ユニット（10A）が前記第３動作を行うときに前記第２調湿ユニット（10B）が前記第４動作を行い、前記第１調湿ユニット（10A）が前記第４動作を行うときに前記第２調湿ユニット（10B）が前記第３動作を行うように、前記第１調湿ユニット（10A）及び前記第２調湿ユニット（10B）を制御する。
【０１４４】
この構成では、実質的には、室内空間（S1）を連続的に加湿できる。加えて、室内空間（S1）を第１種換気により換気できる。
【０１４５】
《実施形態の変形例》
上記実施形態については以下のような変形例の構成としてもよい。
【０１４６】
＜変形例１（連動制御の変形例）＞
変形例１の調湿システム（S）は、上記実施形態の連動制御部（C）による各調湿ユニット（10）の制御が異なる。
【０１４７】
図７に示す変形例の除湿運転では、第１調湿ユニット（10A）の第１動作と、第２調湿ユニット（10B）の第２動作とのタイミングがずれ、且つ第１調湿ユニット（10A）の第２動作と、第２調湿ユニット（10B）の第１動作とのタイミングがずれている。第１調湿ユニット（10A）及び第２調湿ユニット（10B）では、第１動作及び第２動作の間に、空気搬送機構（M）を所定期間停止させる停止制御が行われる。変形例１では、第１調湿ユニット（10A）及び第２調湿ユニット（10B）のうちの一方の調湿ユニット（10）の停止制御中において、他方の調湿ユニット（10）が第１動作又は第２動作を行う。
【０１４８】
具体的には、例えば第１調湿ユニット（10A）では、第１動作の後に第１停止制御が行われる。第１調湿ユニット（10A）の第１停止制御中には、第２調湿ユニット（10B）の第２動作が継続して実行される。このため、第１調湿ユニット（10A）の空気搬送機構（M）が停止している期間に、第２調湿ユニット（10B）で排気を行うことができる。換言すると、第１調湿ユニット（10A）の停止制御中において、第３種換気を行うことができる。
【０１４９】
次いで、第２調湿ユニット（10B）では、第２動作の後に第２停止制御が行われる。第２調湿ユニット（10B）の第２停止制御中には、第１調湿ユニット（10A）の第２動作が実行される。このため、第２調湿ユニット（10B）の空気搬送機構（M）が停止している期間に、第１調湿ユニット（10A）で排気を行うことができる。換言すると、第２調湿ユニット（10B）の停止制御中において、第３種換気を行うことができる。
【０１５０】
次いで、第１調湿ユニット（10A）では、第２動作の後に第２停止制御が行われる。第１調湿ユニット（10A）の第２停止制御中には、第２調湿ユニット（10B）の第１動作が継続して実行される。このため、第１調湿ユニット（10A）の空気搬送機構（M）が停止している期間に、第２調湿ユニット（10B）で給気を行うことができる。換言すると、第１調湿ユニット（10A）の停止制御中において、第２種換気を行うことができる。
【０１５１】
次いで、第２調湿ユニット（10B）では、第１動作の後に第１停止制御が行われる。第２調湿ユニット（10B）の第１停止制御中には、第１調湿ユニット（10A）の第１動作が実行される。このため、第２調湿ユニット（10B）の空気搬送機構（M）が停止している期間に、第１調湿ユニット（10A）で給気を行うことができる。換言すると、第２調湿ユニット（10B）の停止制御中において、第２種換気を行うことができる。
【０１５２】
以上のように、変形例１では、第１調湿ユニット（10A）及び第２調湿ユニット（10B）が同時に停止制御を行わない。一方の調湿ユニット（10）の停止制御中に、他方の調湿ユニット（10）が第１動作又は第２動作を行う。このため、調湿システム（S）の除湿運転時において、第１種換気、第２種換気、及び第３種換気のいずれかを常に実行できる。
【０１５３】
図８に示す変形例１の加湿運転では、第１調湿ユニット（10A）の第３動作と、第２調湿ユニット（10B）の第４動作とのタイミングがずれ、且つ第１調湿ユニット（10A）の第４動作と、第２調湿ユニット（10B）の第３動作とのタイミングがずれている。第１調湿ユニット（10A）及び第２調湿ユニット（10B）では、第３動作及び第４動作の間に、空気搬送機構（M）を所定期間停止させる停止制御が行われる。変形例１では、第１調湿ユニット（10A）及び第２調湿ユニット（10B）のうちの一方の調湿ユニット（10）の停止制御中において、他方の調湿ユニット（10）が第３動作又は第４動作を行う。
【０１５４】
具体的には、例えば第１調湿ユニット（10A）では、第３動作の後に第３停止制御が行われる。第１調湿ユニット（10A）の第３停止制御中には、第２調湿ユニット（10B）の第４動作が継続して実行される。このため、第１調湿ユニット（10A）の空気搬送機構（M）が停止している期間に、第２調湿ユニット（10B）で排気を行うことができる。換言すると、第１調湿ユニット（10A）の停止制御中において、第３種換気を行うことができる。
【０１５５】
次いで、第２調湿ユニット（10B）では、第４動作の後に第４停止制御が行われる。第２調湿ユニット（10B）の第４停止制御中には、第１調湿ユニット（10A）の第４動作が実行される。このため、第２調湿ユニット（10B）の空気搬送機構（M）が停止している期間に、第１調湿ユニット（10A）で排気を行うことができる。換言すると、第２調湿ユニット（10B）の停止制御中において、第３種換気を行うことができる。
【０１５６】
次いで、第１調湿ユニット（10A）では、第４動作の後に第４停止制御が行われる。第１調湿ユニット（10A）の第４停止制御中には、第２調湿ユニット（10B）の第３動作が継続して実行される。このため、第１調湿ユニット（10A）の空気搬送機構（M）が停止している期間に、第２調湿ユニット（10B）で給気を行うことができる。換言すると、第１調湿ユニット（10A）の停止制御中において、第２種換気を行うことができる。
【０１５７】
次いで、第２調湿ユニット（10B）では、第３動作の後に第３停止制御が行われる。第２調湿ユニット（10B）の第３停止制御中には、第１調湿ユニット（10A）の第３動作が実行される。このため、第２調湿ユニット（10B）の空気搬送機構（M）が停止している期間に、第１調湿ユニット（10A）で給気を行うことができる。換言すると、第２調湿ユニット（10B）の停止制御中において、第２種換気を行うことができる。
【０１５８】
以上のように、変形例１では、第１調湿ユニット（10A）及び第２調湿ユニット（10B）が同時に停止制御を行わない。一方の調湿ユニット（10）の停止制御中に、他方の調湿ユニット（10）が第３動作又は第４動作を行う。このため、調湿システム（S）の加湿運転時において、第１種換気、第２種換気、及び第３種換気のいずれかを常に実行できる。
【０１５９】
〈変形例２（熱源装置の変形例（１）〉
上記実施形態の熱源装置（20）は、室外熱交換器（24）及び室外ファン（25）を有し、室外熱交換器（24）で空気と冷媒とを熱交換させている。しかし、室外熱交換器（24）に代えて、水やブラインなどと、冷媒とを熱交換させる内部熱交換器を採用してもよい。内部熱交換器としては、二重管式、あるいはシェルアンドチューブ式の熱交換器を採用できる。
【０１６０】
〈変形例３（熱源装置の変形例（２）〉
図９に示すように、熱源装置（20）は、第１熱交換器（21）及び第２熱交換器（22）に水やブラインなどを直接供給する構成であってもよい。
【０１６１】
変形例３の熱源装置（20）は、第１熱媒体回路（50）と、第２熱媒体回路（60）とを備える。第１熱媒体回路（50）には、第１ポンプ（51）、第１熱交換器（21）、第１熱源熱交換器（52）が順に接続される。第２熱媒体回路（60）には、第２ポンプ（61）、第２熱交換器（22）、第２熱源熱交換器（62）が順に接続される。
【０１６２】
第１ポンプ（51）は、第１熱媒体回路（50）の熱媒体（例えば水）を循環させる。第１熱源熱交換器（52）は、第１熱媒体回路（50）の熱媒体と、対応する二次側流路（第１二次側流路（52a））の熱媒体（例えば水）とを熱交換させる。第２ポンプ（61）は、第２熱媒体回路（60）の熱媒体（例えば水）を循環させる。第２熱源熱交換器（62）は、第２熱媒体回路（60）の熱媒体と、対応する二次側流路（第２二次側流路（62a））の熱媒体（例えば水）とを熱交換させる。第１二次側流路（52a）及び第２二次側流路（62a）には、調湿ユニット（10）の動作に連動して、冷水又は温水が供給される。
【０１６３】
具体的には、除湿運転において、第１動作中の調湿ユニット（10）では、第１ポンプ（51）が運転され、第１熱源熱交換器（52）の第１二次側流路（52a）に冷水が供給される。第１熱源熱交換器（52）では、第１熱媒体回路（50）の水が冷却され、冷却された水が第１熱交換器（21）に供給される。これにより、第１熱交換器（21）で空気を冷却できる。除湿運転において、第２動作中の調湿ユニット（10）では、第２ポンプ（61）が運転され、第２熱源熱交換器（62）の第２二次側流路（62a）に温水が供給される。第２熱源熱交換器（62）では、第２熱媒体回路（60）の水が加熱され、加熱された水が第２熱交換器（22）に供給される。これにより、第２熱交換器（22）で空気を加熱できる。
【０１６４】
加湿運転において、第３動作中の調湿ユニット（10）では、第１ポンプ（51）が運転され、第１熱源熱交換器（52）の第１二次側流路（52a）に温水が供給される。第１熱源熱交換器（52）では、第１熱媒体回路（50）の水が加熱され、加熱された水が第１熱交換器（21）に供給される。これにより、第１熱交換器（21）で空気を加熱できる。加湿運転において、第２動作中の調湿ユニット（10）では、第２ポンプ（61）が運転され、第２熱源熱交換器（62）の第２二次側流路（62a）に冷水が供給される。第２熱源熱交換器（62）では、第２熱媒体回路（60）の水が冷却され、冷却された水が第２熱交換器（22）に供給される。これにより、第２熱交換器（22）で空気を加熱できる。
【０１６５】
なお、第１二次側流路（52a）及び第２二次側流路（62a）の冷水や温水は、所定範囲の地域において共有される熱供給設備から供給されてもよい。温水は、例えば地中の熱を利用して生成されてもよい。冷水や温水は、ヒートポンプ式のチラーユニットにより生成してもよい。
【０１６６】
〈変形例４（熱源装置の変形例（３）〉
吸湿ユニット（30）を加熱又は冷却する手段は、上記以外の構成であってもよい。例えば吸湿ユニット（30）を加熱する手段としては、電気ヒータを用いてもよい。吸湿ユニット（30）を冷却及び加熱する手段としては、ペルチェ素子を用いてもよい。熱源装置（20）は、例えば磁気冷却式ヒートポンプや、吸着式ヒートポンプを用いて、空気の冷却及び加熱の少なくとも一方を行ってもよい。
【０１６７】
〈変形例５（吸湿部の変形例（１）〉
図１０に示す変形例５の調湿ユニット（10）は、上記実施形態の吸湿ユニット（30）と熱交換器（21,22）とが兼用されている。熱交換器（21,22）ないし吸湿ユニット（30）は、熱交換器の表面に吸着剤が担持された吸着熱交換器（32）で構成される。吸着剤は、例えば熱交換器のフィンの表面に担持される。吸着剤は、水分を吸着する材料で構成される。
【０１６８】
吸着熱交換器（32）は、上記実施形態と同様、熱源装置（20）の冷媒回路（R）に接続される。冷媒回路（R）では、室外熱交換器（24）を放熱器とし、吸着熱交換器（32）を蒸発器とする冷凍サイクル（第５冷凍サイクル）と、吸着熱交換器（32）を放熱器とし、室外熱交換器（24）を蒸発器とする冷凍サイクル（第６冷凍サイクル）とが切り換えて行われる。
【０１６９】
除湿運転の第１動作では、吸着熱交換器（32）が蒸発器となる。空気搬送機構（M）によって空気通路（12）に取り込まれた室外空気（OA）は、吸着熱交換器（32）を通過する。吸着熱交換器（32）では、空気中の水分が吸着剤に吸着される。この際に生じる吸着熱は、冷媒の蒸発熱として利用される。吸着熱交換器（32）で冷却及び除湿された空気は、供給空気（SA）として室内空間（S1）に供給される。
【０１７０】
除湿運転の第２動作では、吸着熱交換器（32）が放熱器となる。空気搬送機構（M）によって空気通路（12）に取り込まれた室内空気（RA）は、吸着熱交換器（32）を通過する。吸着熱交換器（32）では、吸着剤の水分が空気へ放出される。吸着剤の再生に利用された空気は、排出空気（EA）として室外空間（S2）に排出される。
【０１７１】
加湿運転の第３動作では、吸着熱交換器（32）が放熱器となる。空気搬送機構（M）によって空気通路（12）に取り込まれた室外空気（OA）は、吸着熱交換器（32）を通過する。吸着熱交換器（32）では、吸着剤の水分が空気へ放出される。吸着熱交換器（32）で加熱及び加湿された空気は、供給空気（SA）として室内空間（S1）に供給される。
【０１７２】
加湿運転の第４動作では、吸着熱交換器（32）が蒸発器となる。空気搬送機構（M）によって空気通路（12）に取り込まれた室内空気（RA）は、吸着熱交換器（32）を通過する。吸着熱交換器（32）では、空気中の水分が吸着剤に吸着される。吸着剤に水分を付与した空気は、排出空気（EA）として室外空間（S2）に排出される。
【０１７３】
〈変形例６（吸湿部の変形例（２）〉
図１１に示すように、変形例６の吸湿ユニット（30）は、略円柱状に形成される。吸湿ユニット（30）は、複数の小孔を有する円柱状の基材（33）と、該基材（33）に担持される吸着剤とを有する。吸湿ユニット（30）は、その軸方向が空気流れの方向と一致するように、空気通路（12）に配置される。吸湿ユニット（30）は、上記実施形態と同様、第１熱交換器（21）と第２熱交換器（22）との間に配置される。
【０１７４】
〈変形例７（吸湿部の変形例（３）〉
図１２に示すように、変形例７の吸湿ユニット（30）は、略直方体状に形成される。吸湿ユニット（30）は、複数の小孔を有する直方体状の基材（33）と、該基材（33）に担持される吸着剤とを有する。吸湿ユニット（30）は、上記実施形態と同様、第１熱交換器（21）と第２熱交換器（22）との間に配置される。
【０１７５】
〈変形例８（吸湿部の変形例（４）〉
図１３に示すように、変形例８の吸湿ユニット（30）は、メッシュ状の容器（34）と、該容器（34）の内部に充填される粒状の吸着剤（35）とを有する。メッシュ状の容器（34）は、空気通路（12）に配置される。空気通路（12）の空気は、メッシュ状の容器（34）を通過し、吸着剤（35）の周囲を流れる。吸湿ユニット（30）は、上記実施形態と同様、第１熱交換器（21）と第２熱交換器（22）との間に配置される。
【０１７６】
〈変形例９（吸湿部の変形例（５）〉
図１４に示すように、変形例９の吸湿ユニット（30）は、貯留槽（36）を有する。貯留槽（36）の内部には、液体吸収剤が貯留される。液体吸収剤は、例えば塩化リチウム水溶液である。吸湿ユニット（30）は、複数の空気流通管（37）を有する。空気流通管（37）は、貯留槽（36）を空気通路（12）の空気流れ方向に貫通している。空気流通管（37）は、筒状の透湿膜によって構成される。透湿膜は、液体吸収剤を透過させず、水蒸気を透過させる膜である。吸湿ユニット（30）は、上記実施形態と同様、第１熱交換器（21）と第２熱交換器（22）との間に配置される。
【０１７７】
除湿運転の第１動作において、第１熱交換器（21）で冷却された空気は、複数の空気流通管（37）を流れる。空気中の水分は、透過膜を介して液体吸収剤に吸収される。除湿運転の第２動作において、第２熱交換器（22）で加熱された空気は、複数の空気流通管（37）を流れる。空気流通管（37）では、液体吸収剤の水蒸気が透過膜を介して空気に付与される。
【０１７８】
加湿運転の第３動作において、第１熱交換器（21）で加熱された空気は、複数の空気流通管（37）を流れる。空気流通管（37）では、液体吸収剤の水蒸気が透過膜を空気に付与される。加湿運転の第４動作において、第２熱交換器（22）で冷却された空気は、複数の空気流通管（37）を流れる。空気中の水分は、透過膜を介して液体吸収剤に吸収される。
【０１７９】
〈変形例１０（空気搬送機構の変形例（１）〉
図１５及び図１６に示すように、変形例１０の調湿ユニット（10）は、上記実施形態と空気搬送機構（M）の構成が異なる。変形例１０の空気搬送機構（M）は、第１ファン（44）と第２ファン（45）とを備える。第１ファン（44）及び第２ファン（45）は、一方向のみに空気を搬送する。第１ファン（44）は、室内空間（S1）に向かってのみ空気を搬送する。第２ファン（45）は、室外空間（S2）に向かってのみ空気を搬送する。
【０１８０】
図１５に示すように、除湿運転の第１動作では、第１ファン（44）が運転され、第２ファン（45）が停止する。これにより、室外空間（S2）の室外空気（OA）を供給空気（SA）として室内空間（S1）へ供給できる。図１６に示すように、除湿運転の第２動作では、第２ファン（45）が運転され、第１ファン（44）が停止する。これにより、室内空間（S1）の室内空気（RA）を排出空気（EA）として室外空間（S2）へ排出できる。
【０１８１】
図１５に示すように、加湿運転の第３動作では、第１ファン（44）が運転され、第２ファン（45）が停止する。これにより、室外空間（S2）の室外空気（OA）を供給空気（SA）として室内空間（S1）へ供給できる。図１６に示すように、加湿運転の第４動作では、第２ファン（45）が運転され、第１ファン（44）が停止する。これにより、室内空間（S1）の室内空気（RA）を排出空気（EA）として室外空間（S2）へ排出できる。
【０１８２】
〈変形例１１（空気搬送機構の変形例（２）〉
図１７及び図１８に示すように、変形例１１の調湿ユニット（10）は、上記実施形態と空気搬送機構（M）の構成が異なる。変形例１１の空気搬送機構（M）は、一方向ファン（46）を備える。一方向ファン（46）は、一方向のみに空気を搬送する。加えて、空気搬送機構（M）は、第１ダンパ（D1）、第２ダンパ（D2）、及び第３ダンパ（D3）を有する。これらのダンパ（D1,D2,D3）は、流路切換機構を構成する。流路切換機構は、空気通路（12）を第１状態と第２状態とに切り換える。図１７に示す第１状態の空気通路（12）では、一方向ファン（46）に搬送される空気が、室外空間（S2）から室内空間（S1）へ流れる。図１８に示す第２状態の空気通路（12）では、一方向ファン（46）に搬送される空気が、室内空間（S1）から室外空間（S2）へ流れる。
【０１８３】
調湿ユニット（10）の空気通路（12）は、第１通路（P1）、第２通路（P2）、第３通路（P3）、及び第４通路（P4）を含む。第１通路（P1）には、第１熱交換器（21）、吸湿ユニット（30）、第２熱交換器（22）が順に配置される。第１通路（P1）は、外気口（14）、内気口（13）、第２通路（P2）、及び第４通路（P4）と連通可能である。第２通路（P2）は、第１通路（P1）及び第３通路（P3）と連通可能である。第３通路（P3）には、第１ファン（44）が配置される。第３通路（P3）は、外気口（14）、第１通路（P1）、及び第４通路（P4）と少なくとも連通可能である。第４通路（P4）は、内気口（13）、第１通路（P1）、及び第３通路（P3）と少なくとも連通可能である。
【０１８４】
第１ダンパ（D1）は、内気口（13）と第１通路（P1）とを遮断する第１状態と、内気口（13）と第１通路（P1）とを連通する第２状態とに切り換えられる。第２ダンパ（D2）は、第４通路（P4）と第３通路（P3）とを連通させ且つ外気口（14）と第３通路（P3）を遮断する第１状態と、第４通路（P4）と第３通路（P3）とを遮断し且つ第３通路（P3）と外気口（14）を連通する第２状態とに切り換えられる。第３ダンパ（D3）は、第２通路（P2）と外気口（14）を遮断する第１状態と、第１通路（P1）と第２通路（P2）とを連通させる第２状態とに切り換えられる。
【０１８５】
図１７に示すように、除湿運転の第１動作では、一方向ファン（46）が運転され、流路切換機構により空気通路（12）が第１状態に切り換えられる。具体的には、第１ダンパ（D1）、第２ダンパ（D2）、及び第３ダンパ（D3）が第１状態になる。室外空気（OA）は、第１通路（P1）を流れ、第１熱交換器（21）で冷却・除湿される。この空気は、第３通路（P3）、第４通路（P4）を順に流れ、供給空気（SA）として室内空間（S1）へ供給される。  図１８に示すように、除湿運転の第２動作では、一方向ファン（46）が運転され、流路切換機構により空気通路（12）が第２状態に切り換えられる。具体的には、第１ダンパ（D1）、第２ダンパ（D2）、及び第３ダンパ（D3）が第２状態になる。室内空気（RA）は、第１通路（P1）を流れ、第２熱交換器（22）の吸着剤を再生する。この空気は、第２通路（P2）、第３通路（P3）を順に流れ、排出空気として室外空間（S2）へ排出される。
【０１８６】
図１７に示すように、加湿運転の第３動作では、一方向ファン（46）が運転され、流路切換機構により空気通路（12）が第１状態に切り換えられる。具体的には、第１ダンパ（D1）、第２ダンパ（D2）、及び第３ダンパ（D3）が第１状態になる。室外空気（OA）は、第１通路（P1）を流れ、第１熱交換器（21）で加熱・加湿される。この空気は、第３通路（P3）、第４通路（P4）を順に流れ、供給空気（SA）として室内空間（S1）へ供給される。
【０１８７】
図１８に示すように、加湿運転の第４動作では、一方向ファン（46）が運転され、流路切換機構により空気通路（12）が第２状態に切り換えられる。具体的には、第１ダンパ（D1）、第２ダンパ（D2）、及び第３ダンパ（D3）が第２状態になる。室内空気（RA）は、第１通路（P1）を流れ、第２熱交換器（22）の吸着剤に水分を付与する。この空気は、第２通路（P2）、第３通路（P3）を順に流れ、排出空気（EA）として室外空間（S2）へ排出される。
【０１８８】
〈変形例１２（フィルタ〉〉
図１９及び図２０に示すように、変形例１２の調湿ユニット（10）は、フィルタ（38）を有する。フィルタ（38）は、吸湿ユニット（30）、第１熱交換器（21）、第２熱交換器（22）よりも室外空間（S2）寄りに配置される。フィルタ（38）は、外気口（14）の付近に配置される。フィルタ（38）は、空気通路（12）に流入する室外空気（OA）中の塵埃を捕集する。
【０１８９】
フィルタ（38）は、室外空間（S2）から室内空間（S1）へ空気を搬送する動作中に、該フィルタ（38）に付着した塵埃を空気によって取り除くように構成される。
【０１９０】
具体的には、図１９に示すように、除湿運転の第１動作では、フィルタ（38）の外面に塵埃が捕集される。この状態から図２０に示すように、除湿運転の第２動作が実行されると、排出空気（EA）がフィルタ（38）を通過する。この排出空気（EA）によって、フィルタ（38）の外面に付着した塵埃を室外空間（S2）へ放出できる。除湿運転において、第１動作と第２動作とを交互に行うことで、フィルタ（38）の塵埃の付着量を実質的に減らすことができる。これにより、フィルタ（38）の寿命を延ばすことができる。
【０１９１】
図１９に示すように、加湿運転の第３動作では、フィルタ（38）の外面に塵埃が捕集される。この状態から図２０に示すように、加湿運転の第４動作が実行されると、排出空気（EA）がフィルタ（38）を通過する。この排出空気（EA）によって、フィルタ（38）の外面に付着した塵埃を室外空間（S2）へ放出できる。加湿運転において、第３動作と第４動作とを交互に行うことで、フィルタ（38）の塵埃の付着量を実質的に減らすことができる。これにより、フィルタ（38）の寿命を延ばすことができる。
【０１９２】
〈変形例１３（調湿ユニットの他の配置〉〉
実施形態の調湿ユニット（10）は、住居の壁（W）に設けられる。図２１に示すように、調湿ユニット（10）を住居の窓（5）、ないし窓枠（6）に設けてもよい。
【０１９３】
〈変形例１４（陽圧制御（１）〉
図２２に示す変形例１４の調湿システム（S）は、外気の汚れの度合い、及び外気の侵入の有無に基づいて、複数の調湿ユニット（10）を制御する。
【０１９４】
調湿システム（S）は、室外空間（S2）から室内空間（S1）への外気の侵入を検知する侵入検知部（70）と、外気の汚れの度合いを判定する第１判定部（71）とを備える。
【０１９５】
本例の侵入検知部（70）は、住居のドア（7）の開閉を検知する開閉検知部である。ドア（7）が開放されると、侵入検知部（70）は、外気が侵入していることを示す信号を連動制御部（C）に出力する。
【０１９６】
第１判定部（71）は、外気の汚れの度合いに関する情報を取得する。外気の汚れの度合いとしては、外気中の花粉、浮遊粒子状物質、臭気成分などがあげられる。本例の第１判定部（71）は、外気の汚れの度合いを示す情報として、外気中の花粉情報を取得する。第１判定部（71）は、気象庁などの外部機関からの情報をインターネット経由で受信する。第１判定部（71）は、外気中の花粉などの汚れの度合いを直接的に検知するセンサであってもよい。
【０１９７】
連動制御部（C）は、第１条件と第２条件とが成立すると、室内空間（S1）が陽圧になるように複数の調湿ユニット（10）を制御する。第１条件は、外気の汚れの度合いが所定の閾値よりも高い条件である。第２条件は、侵入検知部（70）が外気の侵入を検知した条件である。これらの条件が成立する場合、外気中の花粉が開放されたドア口より室内空間（S1）に侵入してしまう。連動制御部（C）は、これらの条件が成立すると、複数の調湿ユニット（10）の総給気量が、該複数の調湿ユニット（10）の総排気量よりも大きくなるように、複数の調湿ユニット（10）を制御する。
【０１９８】
具体的には、給気を行う調湿ユニット（10）の台数を、排気を行う調湿ユニット（10）の台数よりも多くする。あるいは、給気を行う調湿ユニット（10）の給気風量を増大させる。逆に、排気を行う調湿ユニット（10）の排気風量を減少させる。このような制御により、室内空間（S1）が陽圧に保たれる。従って、外気中の花粉等が室内空間（S1）に侵入することを抑制できる。
【０１９９】
なお、連動制御部（C）は、第１条件のみが成立すると、複数の調湿ユニット（10）の総給気量が、該複数の調湿ユニット（10）の総排気量よりも大きくなるように、複数の調湿ユニット（10）を制御してもよい。連動制御部（C）は、第２条件のみが成立すると、複数の調湿ユニット（10）の総給気量が、該複数の調湿ユニット（10）の総排気量よりも大きくなるように、複数の調湿ユニット（10）を制御してもよい。
【０２００】
〈変形例１５（陽圧制御（２）〉
変形例１５の調湿システム（S）は、外気の汚れや侵入の状態に基づかず、室内空間（S1）を常に陽圧に保つ陽圧運転モードを備えている。この陽圧運転モードは、クリーンルームや手術室などで実行される。陽圧運転モードが実行されると、複数の調湿ユニット（10）の総給気量が、該複数の調湿ユニット（10）の総排気量よりも大きくなるように、複数の調湿ユニット（10）が制御される。これにより、クリーンルームや手術室への外部空間からの空気の侵入を常に防止できる。
【０２０１】
〈変形例１６（負圧制御）〉
図２３に示す変形例１６の調湿システム（S）は、室内空間（S1）の空気の汚れ度合いに基づいて、複数の調湿ユニット（10）を制御する。
【０２０２】
調湿システム（S）は、室内空間（S1）の空気の汚れの度合いを判定する第２判定部（72）を備える。本例の第２判定部（72）は、室内空間（S1）に配置され、室内空気の空気質を検知する空気質センサである。空気の汚れの度合いを示す空気質としては、粉じん、臭気成分、ホルムアルデヒド、ＶＯＣ（揮発性有機化合物）などがあげられる。第２判定部（72）で検知された情報は、連動制御部（C）に出力される。
【０２０３】
連動制御部（C）は、第３条件とが成立すると、室内空間（S1）が負圧になるように複数の調湿ユニット（10）を制御する。第３条件は、室内空間（S1）の空気の汚れの度合いが所定の閾値よりも高い条件である。連動制御部（C）は、これらの条件が成立すると、複数の調湿ユニット（10）の総排気量が、該複数の調湿ユニット（10）の総給気量よりも大きくなるように、複数の調湿ユニット（10）を制御する。
【０２０４】
具体的には、排気を行う調湿ユニット（10）の台数を、給気を行う調湿ユニット（10）の台数よりも多くする。あるいは、排気を行う調湿ユニット（10）の排気風量を増大させる。逆に、給気を行う調湿ユニット（10）の給気風量を減少させる。このような制御により、室内空間（S1）の空気中の粉じん、臭気成分などを速やかに室外空間（S2）へ排出できる。
【０２０５】
〈変形例１７（ＣＯ２濃度に基づく制御）〉
変形例１７の調湿システム（S）は、濃度センサを備える。ＣＯ２濃度センサは、室内空間（S1）に配置される。連動制御部（C）は、ＣＯ２濃度センサで検出されるＣＯ２濃度が所定値以下となるように、複数の調湿ユニット（10）の給気量及び排気量を制御する。
【０２０６】
〈変形例１８（空気調和機との連動制御）〉
変形例１８の調湿システム（S）は、空気調和機と連動して運転される。空気調和機は、室内空間（S1）を空調の対象とする。調湿システム（S）では、調湿ユニット（10）で除湿を行うと同時に空気調和機で冷房を行う第１運転と、空気調和機を停止し調湿ユニット（10）のみで除湿を行う第２運転とが切換可能である。連動制御部（C）は、空気調和機及び複数の調湿ユニット（10）を連動して制御する。
【０２０７】
連動制御部（C）の演算部は、外気温、内気温、外気湿度、内気湿度などに基づいて、第１運転時の運転効率Ｅ１と、第２運転時の運転効率Ｅ２とを予測する。演算部により、Ｅ１がＥ２より大きいと判定されると、第１運転を実行する。演算部により、Ｅ２がＥ１より大きいと判定されると、第２運転を実行する。
【０２０８】
調湿システム（S）では、調湿ユニット（10）で加湿を行うと同時に空気調和機で暖房を行う第３運転と、空気調和機を停止し調湿ユニット（10）のみで加湿を行う第４運転とが切換可能である。連動制御部（C）は、空気調和機及び複数の調湿ユニット（10）を連動して制御する。
【０２０９】
連動制御部（C）の演算部は、外気温、内気温、外気湿度、内気湿度などに基づいて、第３運転時の運転効率Ｅ３と、第４運転時の運転効率Ｅ４とを予測する。演算部により、Ｅ３がＥ４より大きいと判定されると、第３運転を実行する。演算部により、Ｅ４がＥ３より大きいと判定されると、第４運転を実行する。
【０２１０】
〈変形例１９（風量制御）〉
図２４に示す変形例１９の調湿システム（S）は、室内空間（S1）の総給気量と総排気量とが略等しくなるように複数の調湿ユニット（10）を制御する。本例の室内空間（S1）には、他の換気装置であるレンジフード（8）が設けられる。調湿システム（S）は、レンジフード（8）の風量を検知する風量検知部（73）を備える。風量検知部（73）で検出されたレンジフード（8）の風量（本例では排気量）は、連動制御部（C）に出力される。
【０２１１】
連動制御部（C）は、レンジフード（8）及び複数の調湿ユニット（10）の全体としての総給気量と、全体としての総排気量とが略等しくなるように、複数の調湿ユニット（10）の給気量及び排気量を制御する。換言すると、室内空間（S1）における総給気量と総排気量とが略一致するよう複数の調湿ユニット（10）が制御される。レンジフード（8）がＯＮされた場合にも、室内空間（S1）全体の給排気量をバランスさせることができる。
【０２１２】
なお、他の換気装置は、レンジフード（8）以外の排気扇であってもよいし、給気扇であってもよい。
【０２１３】
《その他の実施形態》
上記実施形態、及びそれらの変形例については以下の構成としてもよい。
【０２１４】
上記実施形態の調湿システム（S）は、複数の調湿ユニット（10）を備える。しかし、１つの調湿ユニット（10）のみで除湿運転や加湿運転を行ってもよい。この場合、除湿運転では、1つの調湿ユニット（10）において、第１動作と第２動作とが交互に繰り返し行われる。加湿運転では、１つの調湿ユニット（10）において、第３動作と第４動作とが交互に繰り返し行われる。
【０２１５】
上記実施形態では、複数の調湿ユニット（10）を制御する制御装置が連動制御部（C）に兼用されている。しかし、調湿ユニット（10）毎に、対応する調湿ユニット（10）を制御する制御装置を設けてもよい。
【０２１６】
上記実施形態では、調湿ユニット（10）が住居の壁（W）、窓（5）、又は窓枠（6）に設けられる。しかし、調湿ユニット（10）を天井裏の空間に設置し、ダクトを介して給気や排気を行うようにしてもよい。
【０２１７】
上記実施形態の除湿運転では、第１動作の終了後、第２動作の開始前に第１停止制御を行い、且つ第２動作の終了後、第１動作の開始前に第２停止制御を行っている。しかし、第１停止制御と第２停止制御のうちのいずれか一方、又は両方を省略してもよい。
【０２１８】
上記実施形態の加湿運転では、第３動作の終了後、第４動作の開始前に第３停止制御を行い、且つ第４動作の終了後、第３動作の開始前に第４停止制御を行っている。しかし、第３停止制御と第４停止制御のうちのいずれか一方、又は両方を省略してもよい。
【０２１９】
以上、実施形態よび変形例を説明したが、特許請求の範囲の趣旨および範囲から逸脱することなく、形態や詳細の多様な変更が可能なことが理解されるであろう。また、以上の実施形態、変形例、その他の実施形態は、本開示の対象の機能を損なわない限り、適宜組み合わせたり、置換したりしてもよい。以上に述べた「第１」、「第２」、「第３」…という記載は、これらの記載が付与された語句を区別するために用いられており、その語句の数や順序までも限定するものではない。
【産業上の利用可能性】
【０２２０】
以上説明したように、本開示は、調湿ユニット、及び調湿システムについて有用である。
【符号の説明】
【０２２１】
Ｓ１    室内空間（第１空間）
Ｓ２    室外空間（第２空間）  
５      窓
６      窓枠
８      換気装置
１０      調湿ユニット
１０Ａ    第１調湿ユニット
１０Ｂ    第２調湿ユニット
１２      空気通路
１３      内気口（開口）
１４      外気口（開口）
２０ａ    室外機
２１      第１熱交換器（熱交換部、熱源）
２２      第２熱交換器（熱交換部、熱源）
２３      圧縮機
２４      室外熱交換器
３０      吸湿ユニット（吸湿部）
３２      吸着熱交換器（吸湿部、熱源）
３８      フィルタ
４４      第１ファン
４５      第２ファン
４６      一方向ファン（ファン）
７０      侵入検知部
７１      第１判定部
７２      第２判定部
７３      風量検知部
Ｄ１      第１ダンパ（流路切換機構）
Ｄ２      第２ダンパ（流路切換機構）
Ｄ３      第３ダンパ（流路切換機構）
Ｍ        空気搬送機構
【図１】
2020200985.tif 000003
【図２】
2020200985.tif 000004
【図３】
2020200985.tif 000005
【図４】
2020200985.tif 000006
【図５】
2020200985.tif 000007
【図６】
2020200985.tif 000008
【図７】
2020200985.tif 000009
【図８】
2020200985.tif 000010
【図９】
2020200985.tif 000011
【図１０】
2020200985.tif 000012
【図１１】
2020200985.tif 000013
【図１２】
2020200985.tif 000014
【図１３】
2020200985.tif 000015
【図１４】
2020200985.tif 000016
【図１５】
2020200985.tif 000017
【図１６】
2020200985.tif 000018
【図１７】
2020200985.tif 000019
【図１８】
2020200985.tif 000020
【図１９】
2020200985.tif 000021
【図２０】
2020200985.tif 000022
【図２１】
2020200985.tif 000023
【図２２】
2020200985.tif 000024
【図２３】
2020200985.tif 000025
【図２４】
2020200985.tif 000026